(57)【要約】【課題】  記憶媒体内に格納されたファイルまたはファイル種別を選択するだけで、ファイル種別に対応した動作モード、または印字モードによってデータファイルの処理が自動的に行われ、データファイル処理の操作性を向上させること。【解決手段】  本体装置に着脱可能な記憶媒体に格納されたデータファイルを読み出す読出手段と、上記記憶媒体から読み出されたデータファイルのファイル種別を判別する判別手段と、判別されたファイル種別に対応する所定の処理を行う処理制御手段とを有し、上記記憶媒体から処理したいデータファイルが選択されると、そのデータファイルのファイル種別を判別し、そのファイル種別に対応した所定の処理を行うことを特徴とした画像処理装置。【選択図】  図１
2005079673.tif 000002
【特許請求の範囲】
【請求項１】
画像処理装置の本体装置に着脱可能な記憶媒体に格納されているデータファイルを読み出す読出手段と；
上記記憶媒体から読み出されたデータファイルのファイル種別を判別する判別手段と；
判別されたファイル種別に対応する所定の処理を行う処理制御手段と；
を有し、
処理したいデータファイルが上記記憶媒体から選択されると、該データファイルのファイル種別を判別し、該ファイル種別に対応した所定の処理を行うことを特徴とした画像処理装置。
【請求項２】
請求項１において、
上記データファイルのファイル種別と、該ファイル種別のデータファイルを処理する動作モードとを対応付けて登録する第１の登録手段と；
上記処理したいデータファイルを上記記憶媒体から選択する選択手段と；
を有し、
上記処理したいデータファイルを上記記憶媒体から選択すると、その選択され、読み出されたデータファイルのファイル種別を判別し、その判別されたファイル種別に対応した動作モードで処理を行うことを特徴とする画像処理装置。
【請求項３】
請求項１において、
上記記憶媒体のデータファイルを記録媒体に印字出力するプリント手段と；
上記記憶媒体のデータファイルのファイル種別と該ファイル種別をプリントする際の印字モードとを対応付けて登録する第２の登録手段と；
処理したいデータファイルを上記記憶媒体から選択する選択手段と；
を有し、
上記処理したいデータファイルが選択されると、該選択されたデータファイルのファイル種別を判別し、該判別されたファイル種別に対応する印字モードでプリントを行うことを特徴とする画像処理装置。
【請求項４】
請求項２において、
上記記憶媒体から選択されたデータファイルのファイル種別に対応した動作モードが登録されていない場合には、その操作時点で登録されていない動作モードを、上記選択されたファイル種別に対応付けて入力することによって、処理が実行されるとともに、選択されたファイルの種別に対応した動作モードが登録できることを特徴とする画像処理装置。
【請求項５】
請求項１ないし請求項４のいずれか１項において、
上記記憶媒体のデータファイルのファイル種別を、該データファイルの拡張子によって判別することを特徴とする画像処理装置。
【請求項６】
画像処理装置の本体装置に着脱可能な記憶媒体に格納されているデータファイルを読み出す読出手段と；
処理したいファイル種別を上記記憶媒体から選択する選択手段と；
上記選択されたファイル種別のデータファイルを上記記憶媒体から検索し、抽出する検索手段と；
上記抽出されたデータファイルについて所定の処理を行う処理制御手段と；
を有し、
処理したいファイル種別を上記記憶媒体から選択すると、上記記憶媒体を検索し、該記憶媒体の全ての抽出された上記データファイルについて所定の処理を行うことを特徴とする画像処理装置。
【請求項７】
請求項６において、
上記データファイルのファイル種別と該ファイル種別のデータファイルを処理する動作モードとを対応付けて登録する登録手段を有し、
処理したいファイル種別を上記記憶媒体から選択すると、上記記憶媒体を検索し、該記憶媒体の全ての抽出された上記データファイルを、該ファイル種別に対応した動作モードで処理することを特徴とする画像処理装置。
【発明の詳細な説明】
【技術分野】
【０００１】
本発明は、メモリカードなどの記憶媒体内に格納されているデータを読み出して、所定の処理を行う画像処理装置に関するものである。
【背景技術】
【０００２】
近年、パーソナルコンピュータ（以下、ＰＣという。）、デジタルスチルカメラ（以下、ＤＳＣという。）、ＰＤＡ（Ｐｅｒｓｏｎａｌ  Ｄｉｇｉｔａｌ  Ａｓｓｉｓｔａｎｃｅ）、携帯電話などのデジタル機器の急速な普及によって、画像データを記憶するメモリカードなどの記憶媒体の需要が急増している。また、データの入出力を持つデジタル機器の多様化、ネットワーク対応に伴って、ＪＰＥＧ、テキスト、ＴＩＦＦ、ＷＡＶＥなどの様々な種類のデータファイルが記憶媒体を介して取り扱われるようになった。
【０００３】
このような背景から、メモリカードなどの記憶媒体を読み書き可能な機能を搭載したプリンタや複合機などが開発され、ＰＣを介さずに記憶媒体から直接プリントや、ＦＡＸ送信、ＬＣＤ表示、音声出力することなどが可能となった。
【０００４】
このような機能を有する従来の複合機にあっては、複数の原画像データを記憶する着脱自在な画像記憶媒体から前記複数の原画像データを読み出すデータ読み取り手段と、その読み出された原画像データから色成分毎に画像合成する画像合成手段と、この画像合成手段により形成された各色成分の合成画像を面順次で記録材上に形成する形成手段とを有し、上記画像合成手段が、ワークメモリとして前記画像記憶媒体を使用している（たとえば特許文献１参照）。
【特許文献１】特開平１１−３３１７５７号公報
【発明の開示】
【発明が解決しようとする課題】
【０００５】
しかしながら、プリントだけでなく様々な機能をもつ複合機で、記憶媒体内に格納されている様々な種類のデータファイルを読み出し、データファイルの種類に対応した処理を表示するには、このような複合機はＰＣに比べて液晶ディスプレイ（以下、ＬＣＤという。）の表示面積が小さく、またキーが少ないので、操作が複雑であり、操作性が悪い。
【０００６】
したがって、本発明は、記憶媒体内に格納されているデータファイルを読み出し、データファイルの種別（以下、ファイル種別という。）を判別、あるいは検索することで、データファイルのファイル種別に対応した処理を簡単な操作で行える画像処理装置を提供することを目的としている。
【課題を解決するための手段】
【０００７】
上記課題を解決するために、本発明は、記憶媒体に格納されているデータファイルを読み出す読出手段と、上記記憶媒体から読み出したデータファイルのファイル種別を判別する判別手段と、判別したファイル種別に対応した所定の処理を行う処理制御手段とを有し、処理したいデータファイルを上記記憶媒体から選択すると、該データファイルのファイル種別の判別を行い、該ファイル種別に対応した所定の処理を行うことで、上記記憶媒体のデータファイルの操作性を向上させる。
【０００８】
また、データファイルのファイル種別と該ファイル種別のデータファイルを処理する動作モードとを対応付けて登録する第１の登録手段と、処理したいデータファイルを記憶媒体から選択する選択手段とを有し、ユーザが予めデータファイルのファイル種別に対応付けて処理させたい動作モードを登録しておくことによって、記憶媒体内の処理したいデータファイルを選択すると、選択されたデータファイルのファイル種別を判別し、その判別したファイル種別に対応した動作モードで処理を行うことを可能にする。これによって、一度登録しておけば、データファイルを選択するだけでユーザの所望する処理が行われるため、記憶媒体内のデータファイル処理の操作性を向上させることができる。
【０００９】
また、記憶媒体内のデータファイルを記録媒体に印字出力するプリント手段と、記憶媒体内のデータファイルのファイル種別とそのファイル種別をプリントする際の印字モードを対応付けて登録する第２の登録手段と、記憶媒体内の処理したいデータファイルを選択する選択手段とを有し、ユーザが予めデータファイルのファイル種別に対応付けてプリントさせたい印字モードを登録しておくことによって、記憶媒体内のプリントしたいデータファイルを選択すると、選択されたデータファイルのファイル種別を判別し、判別したファイル種別に対応した印字モードでプリントを行うことを可能とし、これによって一度登録しておけば、データファイルを選択するだけで、ユーザが所望する印字モードでプリントを行うため、記憶媒体内のデータファイルの操作性を向上させることができる。
【００１０】
また、記憶媒体内の選択されたデータファイルのファイル種別に対応した動作モードが操作時点で登録されていない場合には、その操作時点で登録されていない動作モードを、上記選択されたファイル種別に対応付けて入力することによって、前記動作モードで処理が実行されるとともに、選択されたファイルの種別に対応した動作モードが登録できることを特徴とする。
【００１１】
また、記憶媒体内のデータファイルのファイル種別を、ファイルの拡張子（．ｊｐｇ、．ｔｘｔ、．ｔｉｆ、．ｗａｖなど）によって判別できる。
【００１２】
また、本体装置に着脱可能な記憶媒体に格納されたデータファイルを読み出す読出手段と、上記記憶媒体から処理したいファイル種別を選択する選択手段と、上記選択されたファイル種別のデータファイルを上記記憶媒体から検索し、抽出する検索手段と、上記抽出されたデータファイルを、所定の処理を行う処理制御手段とを備え、上記記憶媒体から処理したいファイル種別を選択すると、上記記憶媒体を検索し、その記憶媒体の全ての抽出された上記データファイルを、所定の動作モードで処理することによって、記憶媒体内のデータファイルの操作性を向上させることができる。
【００１３】
さらにまた、上記データファイルのファイル種別と該ファイル種別のデータファイルを処理する動作モードとを対応付けて登録する第１の登録手段を有し、処理したいファイル種別を上記記憶媒体から選択すると、上記記憶媒体を検索し、該記憶媒体の全ての抽出された上記データファイルを、該ファイル種別に対応した動作モードで処理するので、記憶媒体内のデータファイルの操作性を向上させることができる。
【発明の効果】
【００１４】
本発明によれば、記憶媒体内に格納されたデータファイルまたはファイル種別を選択するだけで、選択されたファイル種別に対応した動作モード、または印字モードによってデータファイルの処理が自動的に行われるので、記憶媒体内のデータファイルを処理する場合の操作性が向上する。
【発明を実施するための最良の形態】
【００１５】
図１は、本発明の一実施例であるファクシミリ装置１００の概略構成を示すブロック図である。
【００１６】
ファクシミリ装置１００において、ＣＰＵ１は、ファクシミリ装置１００に含まれるシステム制御部を構成し、ファクシミリ装置１００の全体を制御する。
【００１７】
ＲＯＭ２は、ＣＰＵ１が実行する制御プログラムや組み込みオペレーティングシステム（以下、ＯＳという。）プログラムなどを格納する。ＲＯＭ２に格納されている各制御プログラムは、ＲＯＭ２に格納されている組み込みＯＳの管理下で、スケジューリングやタスクスイッチなどのソフトウエア制御を行う。
【００１８】
ＲＡＭ３は、ＳＲＡＭ（ｓｔａｔｉｃ  ＲＡＭ）などで構成され、プログラム制御変数などを格納し、また、オペレータが登録した設定値やファクシミリ装置１００の管理データなどを格納し、各種ワーク用バッファ領域が設けられている。
【００１９】
画像メモリ４は、ＤＲＡＭ（ｄｙｎａｍｉｃ  ＲＡＭ）などで構成され、画像データを蓄積する。
【００２０】
データ変換部５は、ページ記述言語（以下、ＰＤＬという。）などの解析や、キャラクタデータのＣＧ（ｃｏｍｐｕｔｅｒ  ｇｒａｐｈｉｃｓ）展開等、画像データの変換を行う。
【００２１】
読取制御部６は、読取部７が、ＣＩＳイメージセンサ（密着型イメージセンサ）によって原稿を光学的に読み取り、電気的な画像データに変換した画像信号を、図示しない画像処理制御部を介して、２値化処理や中間調処理等の各種の画像処理を施し、高精細な画像データを出力する。なお、読取制御部６は、原稿を搬送しながら読み取りを行うシート読取制御方式と、原稿台にある原稿をスキャンするブック読取制御方式の両制御方式に対応している。
【００２２】
操作表示部８は、数値入力キー、文字入力キー、ワンタッチ電話番号キー、モード設定キー、決定キー、取り消しキーなどを備え、ユーザが画像送信相手先データの決定や設定データの登録動作を行うための操作部と、各種キー、ＬＥＤ（発光ダイオード）とＬＣＤなどによって構成され、オペレータによる各種入力操作や、ファクシミリ装置１００の動作状況、ステータス状況の表示等を行う表示部である。
【００２３】
通信制御部９は、ＭＯＤＥＭ（変復調装置）や、ＮＣＵ（網制御装置）などによって構成されている。通信制御部９は、アナログの通信回線（ＰＳＴＮ）１９に接続され、Ｔ３０プロトコルでの通信制御、通信回線に対する発呼と着呼との回線制御を行っている。
【００２４】
解像度変換処理部１０は、画像データのミリ−インチ解像度変換等の解像度変換制御を行う。なお、解像度変換処理部１０において、画像データの拡大処理、縮小処理も可能である。
【００２５】
符号復号化処理部１１は、ファクシミリ装置１００で扱う画像データ（ＭＨ、ＭＲ、ＭＭＲ、ＪＢＩＧ、ＪＰＥＧ等）を符号復号化処理したり、拡大処理、縮小処理を行う。
【００２６】
記録制御部１２は、印刷される画像データに対し、図示しない画像処理制御部を介して、スムージング処理や記録濃度補正処理、色補正等の各種画像処理を施し、高精細な画像データに変換し、ＵＳＢホスト制御部１４に出力する。また、ＵＳＢホスト制御部１４を制御することにより、定期的に記録部１５の状態情報データを取得する役割も果たす。
【００２７】
ＵＳＢファンクション制御部１３は、ＵＳＢインタフェースの通信制御を行うものであり、ＵＳＢ通信規格に従ってプロトコル制御を行い、ＣＰＵ１が実行するＵＳＢ制御タスクからのデータをパケットに変換し、ＣＰＵバス１８を介して、外部の情報処理端末にＵＳＢパケット送信を行ったり、逆に、外部の情報処理端末からのＵＳＢパケットをデータに変換し、ＣＰＵ１に送信を行う。
【００２８】
ＵＳＢホスト制御部１４は、ＵＳＢ通信規格で定められたプロトコルで通信を行うための制御部である。ＵＳＢ通信規格は、双方向のデータ通信を高速に行うことができる規格であり、１台のホスト（マスター）に対し、複数のハブまたはファンクション（スレーブ）を接続することができる。ＵＳＢホスト制御部１４は、ＵＳＢ通信におけるホストの機能を有する。
【００２９】
記録部１５は、レーザビームプリンタやインクジェットプリンタなどからなる印刷装置であり、カラー画像データ、またはモノクロ画像データを被印刷部材に印刷する。ＵＳＢホスト制御部１４とは、ＵＳＢ通信規格で定められたプロトコルで通信を行い、特に記録部１５はファンクションの機能を有する。
【００３０】
不図示の記憶媒体はメモリカードに制限されるものではないが、この実施例では記憶媒体としてメモリカードを用いており、着脱可能なメモリカードが装着されるメモリカードスロット１６を備える。メモリカードスロット１６は、ＵＳＢインタフェースを介してＵＳＢホスト制御部１４に接続されている。
【００３１】
記憶媒体制御部１７は、メモリカードスロット１６に装着されたメモリカードに格納されているデータファイルにアクセスし、読み出すことが可能である。
【実施例１】
【００３２】
図２は、本発明の実施例１であるメモリカードのデータファイル処理１を示すフローチャートである。
【００３３】
まず、ユーザが操作表示部８を操作して、メモリカード内に格納されているデータファイルから処理したいデータファイルを選択する（Ｓ２１）。選択されたデータファイルのファイル種別を拡張子などによって判別する（Ｓ２２）。予め登録されていたファイル種別と動作モードとを対応させた対応テーブル（図３）に従った動作モードで、上記選択されたデータファイルの処理を実行する（Ｓ２３）。
【実施例２】
【００３４】
図４は、本発明の実施例２であるメモリカードのデータファイル処理２を示すフローチャートである。
【００３５】
まず、ユーザが操作表示部８を操作して、メモリカード内に格納されているデータファイルからプリントしたいデータファイルを選択する（Ｓ３１）。選択されたデータファイルのファイル種別を拡張子によって判別する（Ｓ３２）。
【００３６】
予め登録されていたファイル種別と印字モードとを対応させた対応テーブル（図５）に従った印字モードで、上記選択されたデータファイルのプリントを実行する（Ｓ３３）。
【００３７】
図５に示すファイル種別と印字モードとの対応テーブルを、予めユーザが操作表示部８を操作して登録するか、あるいは前回のデータファイルのプリント終了時における印字モードが登録されており、ＲＡＭ３の不揮発性メモリに保存されている。
【００３８】
このように、実施例２においては、データファイルのファイル種別に対応付けて処理させたい動作モードを、ユーザが予め登録し、記憶媒体内の処理したいデータファイルを選択すると、その選択されたデータファイルのファイル種別を判別し、判別したファイル種別に対応した動作モードで処理を行うことが可能となる。これによって、データファイルのファイル種別に対応付けて処理させたい動作モードを一度登録しておけば、データファイルを選択するだけでユーザが所望する処理を行うため、メモリカードのような記憶媒体のデータファイル処理の操作性を向上させることができる。
【実施例３】
【００３９】
次に、図６は、本発明の実施例３であるメモリカードのデータファイル処理３を示すフローチャートである。
【００４０】
まず、ユーザが操作表示部８を操作して、処理を実行したいデータファイルのファイル種別を選択する（Ｓ４１）。メモリカード内に格納されているデータファイルを検索して、選択されたファイル種別のデータファイルを抽出する（Ｓ４２）。予め登録されていたファイル種別と動作モードとの対応テーブル（図３）に従った動作モードで、上記抽出されたデータファイルの処理を実行する（Ｓ４３）。メモリカード内の全てのデータファイルの検索が終了するまでＳ４２、Ｓ４３を繰り返し（Ｓ４４）、全てのデータファイルを検索し終わったら終了する。
【００４１】
図３に示すファイル種別と動作モードとの対応テーブルは、予めユーザが操作表示部８を操作して登録するか、前回のデータファイル処理の終了時における動作モードが登録され、ＲＡＭ３の不揮発性メモリ（ＳＲＡＭ）に保存されている。
【００４２】
また、記憶媒体内の処理したいファイル種別が選択されると、記憶媒体内を検索し、記憶媒体内の全ての選択されたファイル種別のデータファイルを、そのファイル種別に対応した動作モードで処理することで、記憶媒体内のデータファイルの操作性を向上させる。
【００４３】
また、記憶媒体内の選択されたデータファイルのファイル種別に対応した動作モードが登録されていない場合には、操作時点で登録されていない動作モードを、上記選択されたファイル種別に対応付けて入力することによって、前記動作モードで処理が実行されるとともに、選択されたファイルの種別に対応した動作モードが登録できることを特徴とする。
【００４４】
また、データファイルのファイル種別に対応付けてプリントさせたい印字モードを、ユーザが予め登録しておくことによって、記憶媒体内のプリントしたいデータファイルを選択すると、その選択されたデータファイルのファイル種別を判別し、判別したファイル種別に対応した印字モードでプリントを行うことを可能とする。これによって、データファイルのファイル種別に対応付けてプリントさせたい印字モードを一度登録しておけば、データファイルを選択するだけで、ユーザが所望する印字モードでプリントを行うため、記憶媒体内のデータファイルの操作性を向上させる。
【図面の簡単な説明】
【００４５】
【図１】本発明の実施例である画像処理装置を適用したファクシミリ装置１００のブロック構成を示す。
【図２】本発明の実施例である画像処理装置に適用されるメモリカードデータ処理１のフローチャートを示す。
【図３】本発明の実施例におけるファイル種別と動作モードとの対応関係を示すテーブルを表している。
【図４】本発明の実施例である画像処理装置に適用されるメモリカードデータ処理２のフローチャートを示す。
【図５】本発明の実施例におけるファイル種別と印字モードとの対応関係を示すテーブルを表している。
【図６】本発明の実施例である画像処理装置に適用されるメモリカードデータ処理３のフローチャートを示す。
【符号の説明】
【００４６】
１００…ファクシミリ装置、
１…ＣＰＵ、
２…ＲＯＭ、
３…ＲＡＭ、
４…画像メモリ、
５…データ変換部、
６…読取制御部、
７…読取部、
８…操作表示部、
９…通信制御部、
１０…解像度変換処理部、
１１…符号復号化処理部、
１２…記録制御部、
１３…ＵＳＢファンクション制御部、
１４…ＵＳＢホスト制御部、
１５…記録部、
１６…メモリカードスロット、
１７…記憶媒体制御部、
１８…ＣＰＵバス、
１９…通信回線。
【図１】
2005079673.tif 000003
【図２】
2005079673.tif 000004
【図３】
2005079673.tif 000005
【図４】
2005079673.tif 000006
【図５】
2005079673.tif 000007
【図６】
2005079673.tif 000008